(57)【要約】【課題】構造が簡単で、且つ、組立や修理が容易で、しかも、把持対象物の範囲が広いハンド玩具を提供すること。【解決手段】操作子の操作によって、２つの把持部材の一方を第１の軸を中心に回動させて先端部同士で外部物体を把持するハンド玩具において、操作子の操作によって初期位置への復元力に抗してケーシングの前後方向の一方向に移動するスライダと、第１の軸に平行な第２の軸を中心に回動可能で、スライダに係合し該スライダの移動方向に応じた方向に回動するレバーと、第１の軸を中心に回動可能で、レバーに係合し該レバーの回動方向に応じた方向に回動するとともに、ばねを介して一方の把持部材に係合し回動によって該一方の把持部材を該ばねを介して一体的に回動させる第１の連結部材と、を備える。【選択図】  図４
0003163006.tif 000002
【実用新案登録請求の範囲】
【請求項１】
ケーシングの前端に２つの把持部材が突出して設けられ、前記ケーシングに設けられた操作子の操作によって、前記２つの把持部材の中で一方の把持部材を第１の軸を中心に回動させて他方の把持部材に接近させて前記２つの把持部材の先端部同士で外部物体を把持するように構成されたハンド玩具において、
前記ケーシング内に、
前記操作子の操作によって初期位置への復元力に抗して前記ケーシングの前後方向の一方向に移動するスライダと、
前記第１の軸に平行な第２の軸を中心に回動可能で、前記スライダに係合し該スライダの移動方向に応じた方向に回動するレバーと、
前記第１の軸を中心に回動可能で、前記レバーに係合し該レバーの回動方向に応じた方向に回動するとともに、ばねを介して前記一方の把持部材に係合し回動によって該一方の把持部材を該ばねを介して一体的に回動させる第１の連結部材と、を備える、
ことを特徴とするハンド玩具。
【請求項２】
前記ばねは前記第１の軸に装着されたねじりコイルばねであることを特徴とする請求項１に記載のハンド玩具。
【請求項３】
前記操作子は、操作ボタンからなり、前記ケーシングの外周に対して出没する方向に動作可能で、初期位置への復元力に抗して人為的に該ケーシング内に没する方向に動作するように構成され、前記スライダは、前記操作子が前記ケーシング内に没する方向へ動作した際に該操作子と互いに圧接されることによって初期位置への復元力に抗して前記一方向に移動するように構成されていることを特徴とする請求項１又は２に記載のハンド玩具。
【請求項４】
把持対象である前記外部物体が存在しない場合、初期位置への復元力に抗する前記スライダの前記一方向への移動によって、前記一方の把持部材の先端部が前記他方の把持部材の先端部に当接することを特徴とする請求項３に記載のハンド玩具。
【請求項５】
前記スライダと前記レバーとは、前記レバーに形成された第１の長穴と、前記スライダに形成され前記第１の長穴に挿入され該スライダの移動によって前記第１の長穴の縁に摺接される第１の突起とによって係合していることを特徴とする請求項３又は４に記載のハンド玩具。
【請求項６】
前記操作子は、前記ケーシング内に没する方向に動作した状態で、前記一方向に移動可能に構成され、
前記スライダは、前記操作子が前記一方向に人為的に移動した際に更に前記一方向に移動するように構成され、
前記他方の把持部材は、第３の軸を中心に、前記一方の把持部材の回動面と交差する回動面内で回動可能に構成され、
前記スライダには、前記ケーシングの前後方向に延在する第２の長穴が形成され、
前記スライダと前記他方の把持部材との間には、一端に前記第２の長穴に挿入される第２の突起が付設され、且つ、他端が前記他方の把持部材における前記第３の軸に対して偏心した部分と回り対偶をなす第２の連結部材が設けられ、
前記第２の連結部材は、前記操作子を人為的に前記一方向に移動させたときに、前記第２の長穴の縁と前記第２の突起とが圧接することによって動作して前記他方の把持部材を回動させるように構成され、
さらに、前記第２の連結部材には、前記操作子を前記一方向に動作させる前まで該第２の連結部材の動作をロックするロック部材が設けられていることを特徴とする請求項３から５いずれか一項に記載のハンド玩具。
【請求項７】
弾性変形可能な打撃片と、前記打撃片による打撃によって音出しをする被打撃体と、前記操作子を前記一方向に移動させた際の前記スライダの前記一方向の移動の際に一時的に前記打撃片を弾性変形させた後に復元させこの復元力によって前記被打撃体を打撃させる押圧手段とを備えることを特徴とする請求項６に記載のハンド玩具。
【請求項８】
前端部は人間の手の指を模した形状に構成され、前記一方の把持部材は人差し指を模した形状を有し、前記他方の把持部材は親指を模した形状を有していることを特徴とする請求項１から７いずれか一項に記載のハンド玩具。
【請求項９】
小指を模した形状部分が根元の軸を中心に起倒可能となっていることを特徴とする請求項８に記載のハンド玩具。
【考案の詳細な説明】
【技術分野】
【０００１】
本考案は、ケーシングの前端に２つの把持部材が突出して設けられ、前記ケーシングに設けられた操作子の操作によって、前記２つの把持部材の先端部同士で外部物体を把持するように構成されたハンド玩具に関するものである。
【背景技術】
【０００２】
従来、ケーシングの前端に２つの把持部材をそれぞれ回動自在に支持させ、ケーシングに設けた操作子にて把持部材を回動させることによって外部物体を把持するハンド玩具が知られている（例えば、特許文献１、非特許文献１）。
【先行技術文献】
【特許文献】
【０００３】
【特許文献１】特開平９−２９５２８７号公報
【非特許文献】
【０００４】
【非特許文献１】http://www.takaratomy.co.jp/
【考案の概要】
【考案が解決しようとする課題】
【０００５】
上記特許文献１のハンド玩具は、長軸状の中空体の後端に操作子である操作レバーを配設し、前端に一対の把持部材を回動自在に配設するとともに、操作レバーと把持部材とを複数本のばねを含む操作部材によって互いに連結して構成されているが、全体に構造が複雑であり、組立が困難であるとともに、分解修理も煩雑となるという問題がある。
【０００６】
一方、上記非特許文献１のハンド玩具は、内部のスライダを前進させ、スライダの前進により梃子部材（レバー）を所定方向に回動させることによって、一方の把持部材を他方の把持部材に接近させて外部物体を把持するように構成されているので、構造が簡単で、且つ、組立や修理が簡単ではあるものの、梃子部材自体の弾性変形を利用して、外部物体を把持するので、把持し得る外部物体は比較的に薄いものに限定されてしまうという問題があった。
本考案は、このような実情に鑑みてなされたもので、構造が簡単で、且つ、組立や修理が容易で、しかも、把持対象物の範囲が広いハンド玩具を提供することを目的とする。
【課題を解決するための手段】
【０００７】
請求項１の考案は、
ケーシングの前端に２つの把持部材が突出して設けられ、前記ケーシングに設けられた操作子の操作によって、前記２つの把持部材の中で一方の把持部材を第１の軸を中心に回動させて他方の把持部材に接近させて前記２つの把持部材の先端部同士で外部物体を把持するように構成されたハンド玩具において、
前記ケーシング内に、
前記操作子の操作によって初期位置への復元力に抗して前記ケーシングの前後方向の一方向に移動するスライダと、
前記第１の軸に平行な第２の軸を中心に回動可能で、前記スライダに係合し該スライダの移動方向に応じた方向に回動するレバーと、
前記第１の軸を中心に回動可能で、前記レバーに係合し該レバーの回動方向に応じた方向に回動するとともに、ばねを介して前記一方の把持部材に係合し回動によって該一方の把持部材を該ばねを介して一体的に回動させる第１の連結部材と、を備える、
ことを特徴とする。
【０００８】
請求項２の考案は、請求項１に記載のハンド玩具において、前記ばねは前記第１の軸に装着されたねじりコイルばねであることを特徴とする。
【０００９】
請求項３の考案は、請求項１又は２に記載のハンド玩具において、前記操作子は、操作ボタンからなり、前記ケーシングの外周に対して出没する方向に動作可能で、初期位置への復元力に抗して人為的に該ケーシング内に没する方向に動作するように構成され、前記スライダは、前記操作子が前記ケーシング内に没する方向へ動作した際に該操作子と互いに圧接されることによって初期位置への復元力に抗して前記一方向に移動するように構成されていることを特徴とする。
【００１０】
請求項４の考案は、請求項３に記載のハンド玩具において、把持対象である前記外部物体が存在しない場合、初期位置への復元力に抗する前記スライダの前記一方向への移動によって、前記一方の把持部材の先端部が前記他方の把持部材の先端部に当接することを特徴とする。
【００１１】
請求項５の考案は、請求項３又は４に記載のハンド玩具において、前記スライダと前記レバーとは、前記レバーに形成された第１の長穴と、前記スライダに形成され前記第１の長穴に挿入され該スライダの移動によって前記第１の長穴の縁に摺接される第１の突起とによって係合していることを特徴とする。
【００１２】
請求項６の考案は、請求項３から５いずれか一項に記載のハンド玩具において、
前記操作子は、前記ケーシング内に没する方向に動作した状態で、前記一方向に移動可能に構成され、
前記スライダは、前記操作子が前記一方向に人為的に移動した際に更に前記一方向に移動するように構成され、
前記他方の把持部材は、第３の軸を中心に、前記一方の把持部材の回動面と交差する回動面内で回動可能に構成され、
前記スライダには、前記ケーシングの前後方向に延在する第２の長穴が形成され、
前記スライダと前記他方の把持部材との間には、一端に前記第２の長穴に挿入される第２の突起が付設され、且つ、他端が前記他方の把持部材における前記第３の軸に対して偏心した部分と回り対偶をなす第２の連結部材が設けられ、
前記第２の連結部材は、前記操作子を人為的に前記一方向に移動させたときに、前記第２の長穴の縁と前記第２の突起とが圧接することによって動作して前記他方の把持部材を回動させるように構成され、
さらに、前記第２の連結部材には、前記操作子を前記一方向に動作させる前まで該第２の連結部材の動作をロックするロック部材が設けられていることを特徴とする。
【００１３】
請求項７の考案は、請求項６に記載のハンド玩具において、弾性変形可能な打撃片と、前記打撃片による打撃によって音出しをする被打撃体と、前記操作子を前記一方向に移動させた際の前記スライダの前記一方向の移動の際に一時的に前記打撃片を弾性変形させた後に復元させこの復元力によって前記被打撃体を打撃させる押圧手段とを備えることを特徴とする。
【００１４】
請求項８の考案は、請求項１から７いずれか一項に記載のハンド玩具において、前端部は人間の手の指を模した形状に構成され、前記一方の把持部材は人差し指を模した形状を有し、前記他方の把持部材は親指を模した形状を有していることを特徴とする。
【００１５】
請求項９の考案は、請求項８に記載のハンド玩具において、小指を模した形状部分が根元の軸を中心に起倒可能となっていることを特徴とする。
【考案の効果】
【００１６】
請求項１及び２の考案によれば、操作子と一方の把持部材とがスライダ、レバー、連結部材及びばねによって連結されているので、構造簡素なハンド玩具を実現できる。また、連結部材と一方の把持部材とがばねを介して係合しているので、ばねがクラッチとして機能することから、外部物体として比較的薄いものから厚いものまで幅広く把持できることになる。
【００１７】
請求項６の考案によれば、操作子の一方向の移動によって、他方の把持部材が一方の把持部材の回動面と交差する回動面内で回動するので、恰も、一方の把持部材の先端部が他方の把持部材の先端部を弾いているかの印象を醸し出すことができる。特に、請求項８のように一方の把持部材が人差し指を模し、他方の把持部材が親指を模したものでは指を弾いているかのような印象を醸し出すことができる。
【００１８】
請求項７の考案によれば、操作子の一方向の移動によって、他方の把持部材が一方の把持部材の回動面と交差する回動面内で回動した際に音出しがなされるので、より強く、一方の把持部材の先端部が他方の把持部材の先端部を弾いているかの印象を醸し出すことができる。
【図面の簡単な説明】
【００１９】
【図１】本考案に係るハンド玩具の実施形態の外観を示した斜視図であり、（Ａ）は操作ボタンを操作しない状態の斜視図、（Ｂ）は操作ボタンを押した状態の斜視図、（Ｃ）は操作ボタンを後方に移動させた状態の斜視図である。
【図２】図１のハンド玩具を側方から見た場合の断面図である。
【図３】図１のハンド玩具を下方から見た場合の断面図である。
【図４】図１のハンド玩具のケーシングの上半部を取り除いた状態の平面図である。
【図５】図１のハンド玩具のケーシングの上半部を取り除いた状態の後方から見た場合の斜視図である。
【図６】スライダとレバーとの係合状態を説明するための斜視図である。
【図７】一方の連結部材と一方の把持部材との係合状態を説明するための平面図である。
【図８】一方の連結部材と一方の把持部材との係合状態を説明するための斜視図である。
【図９】他方の連結部材と他方の把持部材との係合状態を説明するための斜視図であり、（Ａ）はロック部材により他方の連結部材がロックされた状態の斜視図、（Ｂ）はロック部材のロックが解除された状態の斜視図である。
【図１０】打撃片とスライダとの係合状態を説明するための側方から見た場合の断面図である。
【図１１】音出し手段の作動を示すための側方から見た場合の概略図であり、（Ａ）は操作ボタンを押した状態を示す図、（Ｂ）は操作ボタンを押したままで少し後方へ移動させ打撃片が撓んだ状態を示す図、（Ｃ）は操作ボタンを押したままで後端まで移動させ打撃片が被打撃体を打撃した状態を示す図、（Ｄ）は打撃片が被打撃体を打撃した直後の図、（Ｅ）は打撃片が被打撃体を打撃した直後に操作ボタンから手を離した状態を示す図である。
【図１２】小指に相当する部材を起倒させた状態の斜視図であり、（Ａ）は小指に相当する部材を倒した状態の図、（Ｂ）は小指に相当する部材を起立させた状態の図である。
【考案を実施するための形態】
【００２０】
図１には本考案に係るハンド玩具の実施形態の外観が示されている。
このハンド玩具１は、ケーシング２の前端に人差し指を模した把持部材３と親指を模した把持部材４とが設けられ、ケーシング２の長手方向中程に操作子である操作ボタン５が設けられた構造を有している。このハンド玩具１は、通常は、操作者が片手でケーシング２の後端部を握り、把持部材３，４が水平に並ぶようにした状態で使用される。その際、操作者の親指又は人差し指が操作ボタン５に当てられる。
【００２１】
このハンド玩具１は、図１（Ａ）に示す初期状態から操作ボタン５をケーシング２内に押し込むと、図１（Ｂ）に示すように、把持部材３の先端部が把持部材４の先端部に接近する方向に動作し、把持対象である外部物体が無い状態では、把持部材３の先端部が把持部材４の先端部に軽く当接する仕組みとなっている。この仕組みによって、ハンド玩具１は外部物体を把持することができる。外部物体としては、特に限定はされないが、ポップコーンその他の小さな物体が対象となる。
また、ハンド玩具１は、図１（Ａ）に示す初期状態から操作ボタン５をケーシング２内に押し込むとともに後方に移動すると、把持対象である外部物体が無い状態では、図１（Ｂ）に示す状態（把持部材３の先端部が把持部材４の先端部に軽く当接した状態）から、図１（Ｃ）に示すように、それまで静止していた把持部材４の先端部が把持部材３の動作方向と直交する方向に動作する仕組みとなっている。ハンド玩具１は、さらに、把持部材４の先端部が動作する際に、「パチン」という音が鳴るように仕組まれている。
以下、ハンド玩具１の構成を詳細に説明する。
【００２２】
（構成の詳細）
図２にはハンド玩具１を側方から見た場合の断面図、図３にはハンド玩具１を下方から見た場合の断面図、図４にはハンド玩具１の下半部の平面図、図５にはハンド玩具１の下半部を起立させた状態の斜視図が示されている。
このハンド玩具１のケーシング２は、大別すると、長手方向に並ぶ３つの部分から構成されている。すなわち、ケーシング２は、人間の腕を模した円柱状の腕部分２１と、人間の手（人差し指、親指及び小指を除く）を模した手部分２２と、操作者が握るための握持部分２３を備えた構造となっている。このケーシング２は全体として上下に２分割可能に構成され、中空に形成されている。
【００２３】
ケーシング２には、把持部材３を操作するための人差し指操作機構６（図４参照）と、把持部材４を操作するための親指操作機構７（図５参照）と、音出し機構８（図２，図４及び図５参照）が設けられている。この人差し指操作機構６、親指操作機構７及び音出し機構８は操作ボタン５の操作によって動作する。
【００２４】
人差し指操作機構６は、図４に示すように、操作ボタン５の押し込み動力をスライダ６１、レバー６２及び連結部材６３を介して把持部材３に伝達して、把持部材３を操作するためのものである。この仕組みを具体的に説明する。
【００２５】
まず、操作ボタン５について説明すれば、図２に示すように、操作ボタン５はケーシング２の外周に対して出没する方向に動作可能に構成されている。一方、スライダ６１には、操作ボタン５に対応する部分に凹部６１ａが形成され、その凹部６１ａの後端壁は後方にに向けて上り勾配を持つ傾斜面６１ｂとなっている。
操作ボタン５の下部はスライダ６１が初期位置（前進位置）にあるとき、操作ボタン５は傾斜面６１ｂの上部に当接しており、操作者によって操作ボタン５が後述のコイルばね６１ｄによる初期位置への復元力に抗して押し込まれると、操作ボタン５が傾斜面６１ｂを下方に強く圧接してスライダ６１が後方に押し出される。つまり、操作ボタン５とスライダ６１とによって、直動カム機構が構成されている。
また、操作ボタン５は、押し込んだ状態で後方に人為的に移動できるように構成されている。そして、この操作ボタン５の後方への移動によって、スライダ６１は操作ボタン５に押されて更に後方に移動するように構成されている。
【００２６】
スライダ６１は、図４に示すように、スライダ６１のばね掛け部６１ｇと手部分２２の固定部２２ｂとに掛けられたコイルばね６１ｄの付勢力によって初期位置（前進位置）に向けて付勢されている。スライダ６１の後方への移動はこのコイルばね６１ｄの付勢力に抗して行われる。
また、図６に示すように、スライダ６１は前端部に突起６１ｅを備えている。この突起６１ｅはスライダ６１の下方に突出して設けられている。この突起６１ｅは、軸６２ａを中心に回動可能なレバー６２の長穴６２ｂに挿入されている。
【００２７】
レバー６２は、図６及び図７に示すように、スライダ６１の下方に位置している。このレバー６２の長穴６２ｂは鉤状（「へ」の字状）に屈曲された穴となっている。すなわち、レバー６２の長穴６２ｂは、ハンド玩具１のほぼ前後方向に延びる長穴６２ｂ−１と、長穴６２ｂ−１の前端に連設されハンド玩具１の前後方向に対して傾斜して延びる長穴６２ｂ−２とから構成されている。そして、スライダ６１が初期位置（前端位置）にあるときには、スライダ６１の突起６１ｅはレバー６２の長穴６２ｂ−２の前端（長穴６２ｂの前端）に位置している。この状態から、スライダ６１が後方に移動すると、スライダ６１の突起６１ｅが長穴６２ｂ−２の側縁を押圧し、レバー６２が平面視で時計方向に回動する。これによって、スライダ６１の突起６１ｅがレバー６２の長穴６２ｂ−２の後端（長穴６２ｂ−２と長穴６２ｂ−１の境界部分）に達する。この時点で、把持部材３の先端部が把持部材４の先端部に当接することとなる。さらに、この時点からスライダ６１が更に後方に移動すると、今度は、スライダ６１の突起６１ｅがレバー６２の長穴６２ｂ−１に入り、突起６１ｅが長穴６２ｂ−１の側縁を押圧し、レバー６２が平面視で時計方向に僅かに回動する。
また、レバー６２は先端部に突起６２ｃを備えている。図６に示すように、この突起６２ｃはレバー６２の上方に突出して設けられている。この突起６２ｃは、図７に示すように、把持部材３の軸３ａを中心に回動可能な連結部材６３の長穴６３ａに挿入されている。
【００２８】
連結部材６３は、図８に示すように、ねじりコイルばね（トーションばね）３ｂによって把持部材３に連結されている。例えば、連結部材６３の軸６３ｂは把持部材３の軸筒３ａに嵌合され、ねじりコイルばね３ｂの一端部３ｂ−１は連結部材６３の孔６３ｃの縁に係合し、ねじりコイルばね３ｂの他端部３ｂ−２は把持部材３の溝３ａ−１に係合している。これによって、連結部材６３と把持部材３とはねじりコイルばね３ｂを介して一体的に動作するようになっている。その結果、レバー６２が初期位置から平面視で時計方向に回動すると、連結部材６３及びねじりコイルばね３ｂを介して、把持部材３の先端部が初期位置から把持部材４の先端部に接近する方向に動作することになる。
【００２９】
親指操作機構７は、図４、図５及び図９に示すように、操作ボタン５の後退動力をスライダ６１及び連結部材７１を介して把持部材４に伝達して、把持部材４を操作するためのものである。この仕組みを具体的に説明する。
【００３０】
スライダ６１には、図６に示すように、前端部に長穴６１ｆが形成されている。長穴６１ｆはハンド玩具１の長手方向（前後方向）に延在している。この長穴６１ｆには連結部材７１の突起７１ａが係合している。
【００３１】
図９に示すように、連結部材７１は弧状に湾曲した弾性部材であり、一端に上記突起７１ａが付設されている。また、連結部材７１は、他端が把持部材４の基端部に軸７１ｂを介して連結されている。この連結位置は、把持部材４の軸４ａから偏心した位置であり、連結部材７１と把持部材４とは軸７１ｂにより回り対偶をなしている。
また、連結部材７１にはロック部材７２が一体的に設けられている。このロック部材７２の先端には爪７２ａが形成されている。このロック部材７２の爪７２ａは、手部分２２の固定部に形成された爪穴２２ｂに係合可能となっている。
この連結部材７１の突起７１ａは、スライダ６１が初期位置（前端位置）にあるときにはスライダ６１の長穴６１ｆの前端には当接していない。この突起７１ａは、スライダ６１が初期位置から後退する途中でスライダ６１の長穴６１ｆの前縁に圧接する。突起７１ａがスライダ６１の長穴６１ｆの前端と当接する時点は、把持部材３の先端部が把持部材４の先端部に当接する直前である。したがって、この時点までは、スライダ６１の後退動力が把持部材４には伝達されず、把持部材４は動作しない。
一方、ロック部材７２の爪７２ａは、スライダ６１が初期位置（前端位置）にあるときには、図９（Ａ）に示すように、手部分２２の爪穴２２ｂに係合している。この爪７２ａと手部分２２の爪穴２２ｂとの係合解除は、図９（Ｂ）に示すように、スライダ６１の長穴６１ｆの前縁に上記ピン７１ａが当接した後、スライダ６１がさらに後退した際になされる。これによって、連結部材７１が動作して把持部材４が把持部材３の回動面に対して直交する回動面内で回動することになる。
【００３２】
音出し機構８は、図２、図１１に示すように、打撃片８１、被打撃体８２及びコイルばね８３を備えている。
打撃片８１は、基端部がスライダ６１の下側に潜り込むようにした状態で、スライダ６１に取り付けられている。すなわち、打撃片８１の基端部には突起８１ｅが付設され、スライダ６１の側面にはハンド玩具１の前後方向に延在する長穴６１ｍが形成されている。打撃片８１の突起８１ｅはスライダ６１の長穴６１ｍに挿入されている。これによって、打撃片８１は長穴６１ｍに沿ってハンド玩具１の前後方向に移動できるようになっている。
この打撃片８１は弾性部材によって形成されている。また、この打撃片８１の基端部にはばね掛け部８１ｂが設けられている。そして、このばね掛け部８１ｂとスライダ６１のばね掛け部６１ｆとの間にはコイルばね８３が掛けられている。
また、図１０に示すように、打撃片８１の裏側には第１の凹部８１ａ−１と第２の凹部８１ａ−２が形成されている。
さらに、図１０に示すように、スライダ６１における打撃片収容部の上壁は前側が低く、後ろ側が高くなっている。以下では、この上壁のうち前側部分を前側上壁６１ｉ、後ろ側部分を後ろ側上壁６１ｊと言うものとする。
【００３３】
この音出し手段８１においては、スライダ６１が初期位置（前進位置）にあるとき、打撃片８１の第１の凹部８１ａ−１の斜面と押し上げ部材８４の斜面とが当接し、打撃片８１の上端８１ｄがスライダ６１の裏側の前側上壁６１ｉに接触した状態となっている（図１１（Ａ））。この状態で、スライダ６１が後退すると、打撃片８１の上端８１ｄが前側上壁６１ｉに接触していることから、図１１（Ｂ）に示すように、押圧手段である押し上げ部８４が第１の凹部８１ａ−１の前端の傾斜面を介して打撃片８１を押し上げて撓ませる。これによって、打撃片８１には打撃のための付勢力が蓄えられる。
そして、スライダ６１が更に後方に移動して打撃片８１の第２の凹部８１ａ−２が押し上げ部８４に至ると、蓄えられた付勢力が一気に開放され、図１１（Ｃ）に示すように、打撃片８１の先端部が被打撃体８２を強く叩く。これによって、打撃音が発せられる。その後、図１１（Ｄ）に示すように、被打撃体８２を叩き終えた打撃片８１は初期位置に戻る。このように打撃片８１が被打撃体８２を叩いた後に被打撃体８２から離れることから、打撃音が鳴り響くことになる。この状態で押しボタン５から手を離すと、スライダ６１はコイルばね６１ｄの付勢力によって初期位置に戻る。その際、打撃片８１の第２の凹部８１ａ−２に押し上げ部材８４が係合しているので、打撃片８１はスライダ６１に対して後方に相対的に移動する。
これによって、打撃片８１の上端８１ｄが後ろ側上壁６１ｊまでに至り、前側上壁６１ｉと非接触となると、打撃片８１が軸８１ｅを中心に上方に回動し、打撃片８１の山部（第１の凹部８１ａ−１と第２の凹部８１ａ−２の間の部分）は押し上げ部８４を容易に乗り越え、再び、押し上げ部８４が第１の凹部８１ａ−１に至った所でコイルばね８３の付勢力によって該第１の凹部８１ａ−１に係合することになる。
【００３４】
なお、図１２及び図１３に示すように、ハンド玩具１は小指を模した形状部分９０の根元部が図示しない軸を中心に起倒可能に構成されている。これによって、小指を模した形状部分９０は握った状態と立った状態とを取り得るように構成されている。
【００３５】
以上のように構成されたハンド部材によれば次のような効果が得られる。
第１に、操作ボタン５と把持部材３とがスライダ６１、レバー６２、連結部材６３及びねじりコイルばね３ｂによって連結されているので、構造簡素なハンド玩具１を実現できる。この効果は、ねじりコイルばね３ｂ以外のばねで連結部材６３と把持部材３とを連結した場合でも得られる。
第２に、連結部材６３と把持部材３とがねじりコイルばね３ｂによって連結されているので、ねじりコイルばね３ｂがクラッチとして機能することから、ポテトチップ等の薄い物体からポップコーンのような厚い物体まで幅広く把持することができる。この効果は、ねじりコイルばね３ｂ以外のばねで連結部材６３と把持部材３とを連結した場合でも得られる。
第３に、操作ボタン５を後方に移動させた際に、把持部材４が把持部材３の回動面と交差する回動面内で回動するので、恰も、把持部材３の先端部が把持部材４の先端部を弾いているかの印象を醸し出すことができる。特に、把持部材３が人差し指を模し、把持部材４が親指を模したものとなっているので、指を弾いているかのような印象を醸し出すことができる。
第４に、把持部材４が把持部材３の回動面と交差する回動面内で回動する際に、音出しがなされるので、より、把持部材３の先端部が把持部材４の先端部を弾いているかの印象を醸し出すことができる。
【００３６】
以上、本考案の実施形態について説明したが、本考案は、かかる実施形態に限定されるものでなく、その要旨を逸脱しない範囲で種々の変形が可能であることはいうまでもない。
【符号の説明】
【００３７】
１  ハンド玩具
２  ケーシング
３，４  把持部材
５  操作ボタン
６  人差し指操作機構
６１  スライダ
６２  レバー
６３  連結部材
７  親指操作機構
７１  連結部材
７２  ロック部材
【図１】
0003163006.tif 000003
【図２】
0003163006.tif 000004
【図３】
0003163006.tif 000005
【図４】
0003163006.tif 000006
【図５】
0003163006.tif 000007
【図６】
0003163006.tif 000008
【図７】
0003163006.tif 000009
【図８】
0003163006.tif 000010
【図９】
0003163006.tif 000011
【図１０】
0003163006.tif 000012
【図１１】
0003163006.tif 000013
【図１２】
0003163006.tif 000014